(57)【要約】【課題】利用者の認知特性に適合した機器動作設定を行う。【解決手段】操作信号と制御信号と、これらを受信した時点とを関連付けてログ情報として生成するログ情報生成手段６と、ログ情報を記憶する操作ログ記憶手段８と、ログ情報に基づいて、反応時間内操作数と反応時間外操作数と有効操作時間とを算出する操作情報算出手段９と、反応時間内操作数が複数である場合には、反応時間を短く設定する一方、反応時間内操作数が１であり、且つ反応時間外操作数が予め定めた操作数設定値より多いか、又は有効操作時間が予め定めた操作時間設定値より長いかのいずれかの場合には、反応時間を長くするよう設定する表示制御パラメータ調整手段１０と、表示制御パラメータ調整手段１０により設定された反応時間に基づいて機器を制御する機器制御手段４とを備える。【選択図】図１
2008236666.tif 000002
【特許請求の範囲】
【請求項１】
操作手段からの操作信号に基づいて制御信号を生成し、この制御信号により機器を制御すると共に、前記操作信号に基づいて前記機器の動作設定を行う機器動作設定装置であって、
前記操作信号と前記制御信号とを受信し、これらの受信した信号と受信した時点の時刻情報とを関連付けたログ情報を生成するログ情報生成手段と、
前記ログ情報生成手段により生成されたログ情報を記憶する操作ログ記憶手段と、
前記操作ログ記憶手段に記憶されたログ情報に基づいて、前記操作信号を受信した時点から前記制御信号を受信した時点までの時間である反応時間内に受信した操作信号の数を反応時間内操作数として算出すると共に、前記反応時間以外の時間に受信した操作信号の数を反応時間外操作数として算出し、前記制御信号を受信した時点から有効な操作信号を受信した時点までの時間を有効操作時間として算出する操作情報算出手段と、
前記操作情報算出手段により算出された反応時間内操作数が複数である場合には、前記反応時間を短くするよう設定する一方、前記反応時間内操作数が１であり、且つ、前記反応時間外操作数が予め定めた操作数設定値より多いか又は前記有効操作時間が予め定めた操作時間設定値より長いかのいずれかの場合には、前記反応時間を長くするよう設定する表示制御パラメータ調整手段と、
前記表示制御パラメータ調整手段により設定された反応時間に基づいて前記機器を制御する機器制御手段と
を備えたことを特徴とする機器動作設定装置。
【請求項２】
表示画面に重ね合わせて表示させる文字の文字数と、この文字を表示装置に表示させる時間である情報表示時間とを関連付けて記憶する表示文字データ記憶手段と、
前記操作情報算出手段により算出された有効操作時間内に前記操作ログ記憶手段に記憶されたログ情報の数が予め定めた有効時間内設定操作数より多いと判定した場合には、前記有効操作時間をこの有効操作時間内に前記表示装置に表示させていた文字数で除した単位文字表示時間に、前記表示文字データ記憶手段に記憶された文字数を乗じた値を新たな前記情報表示時間として設定する表示時間設定手段とを更に備え、
前記機器制御手段は、
表示時間設定手段により設定された情報表示時間に基づいて前記機器を制御する
ことを特徴とする請求項１に記載の機器動作設定装置。
【請求項３】
操作手段からの操作信号に基づいて制御信号を生成し、この制御信号により機器を制御すると共に、前記操作信号に基づいて前記機器の動作設定を行う機器動作設定方法であって、
前記操作信号と前記制御信号とを受信し、これらの受信した信号と受信した時点の時刻情報とを関連付けたログ情報を生成するログ情報生成ステップと、
前記ログ情報生成ステップにより生成されたログ情報を記憶装置に記憶させる操作ログ記憶ステップと、
前記操作ログ記憶ステップにより記憶されたログ情報に基づいて、前記操作信号を受信した時点から前記制御信号を受信した時点までの時間である反応時間内に受信した操作信号の数を反応時間内操作数として算出すると共に、前記反応時間以外の時間に受信した操作信号の数を反応時間外操作数として算出し、前記制御信号を受信した時点から有効な操作信号を受信した時点までの時間を有効操作時間として算出する操作情報算出ステップと、
前記操作情報算出ステップにより算出された反応時間内操作数が複数である場合には、前記反応時間を短くするよう設定する一方、前記反応時間内操作数が１であり、且つ、前記反応時間外操作数が予め定めた操作数設定値より多いか又は前記有効操作時間が予め定めた操作時間設定値より長いかのいずれかの場合には、前記反応時間を長くするよう設定する表示制御パラメータ調整ステップと、
前記表示制御パラメータ調整ステップにより設定された反応時間に基づいて前記機器を制御する機器制御ステップと
を備えたことを特徴とする機器動作設定方法。
【請求項４】
表示画面に重ね合わせて表示させる文字の文字数と、この文字を表示装置に表示させる時間である情報表示時間とを関連付けて記憶装置に記憶させる表示文字データ記憶ステップと、
前記操作情報算出ステップにより算出された有効操作時間内に前記操作ログ記憶ステップにより記憶されたログ情報の数が予め定めた有効時間内設定操作数より多いと判定した場合には、前記有効操作時間をこの有効操作時間内に前記表示装置に表示させていた文字数で除した単位文字表示時間に、前記表示文字データ記憶ステップにより記憶された文字数を乗じた値を新たな前記情報表示時間として設定する表示時間設定ステップとを更に有し、
前記機器制御ステップは、
表示時間設定ステップにより設定された情報表示時間に基づいて前記機器を制御する
ことを特徴とする請求項３に記載の機器動作設定方法。
【発明の詳細な説明】
【技術分野】
【０００１】
本発明は、テレビやレコーダ等機器の動作を設定する機器動作設定装置及び機器動作設定方法に関する。
【背景技術】
【０００２】
近年、デジタルテレビやＤＶＤレコーダなどのデジタル家電機器は、多機能化に伴い、リモコンなどによるユーザ操作を多く必要とする場合が多い。ここで、機器の処理能力が、処理量の多い機能に対して十分でない場合、利用者の操作に対する機器の反応速度が低下する。また、各機能において処理量の多い機能と処理量の少ない機能が混在していると、利用者の操作に対する機器の反応速度にばらつきが生じる場合がある。このような機器の反応速度のばらつきによって、操作を行う利用者は戸惑い、ストレスを感じる場合がある。
【０００３】
また、メニューなどのグラフィカルユーザインタフェース（以下、ＧＵＩという）の表示において、画面全体の表示切り換えやカーソル移動などの表示速度が、利用者の認知能力に合っていないことがある。例えば、画面全体の表示切り換えが非常に速いと、利用者は画面上の表示の変化に気づかず、状況を理解できず操作に戸惑ってしまう。逆に、カーソルの移動速度が非常に遅いと、利用者は思うように操作ができずストレスを感じる。
【０００４】
このように、利用者の機器操作とそれに対する機器の反応速度の適合は、機器の使い勝手において重要な要素となっている。
【０００５】
例えば、特許文献１には、利用者の年齢情報と、表示データ種別に応じた画面表示時間とに基づいて、表示時間内に利用者が読み取ることが可能な情報量を持つ表示データを表示する画面表示制御装置が提案されている。
【特許文献１】特開２００６−３８７５号公報
【発明の開示】
【発明が解決しようとする課題】
【０００６】
しかしながら、特許文献１に記載の画面表示制御装置では、表示に関する各パラメータの設定値を年齢についての重回帰分析結果に基づいて決定しているので、適切に各パラメータを設定することができなかった。即ち、利用者の年齢による認知特性はばらつきが大きく、年齢情報のみで利用者の認知特性を的確に設定することは困難であった。そのため、利用者によっては画面に表示された情報を的確に理解できない場合が生じていた。
【０００７】
特に、高齢者においては、認知特性の個人差が非常に大きいといわれており、利用者の認知特性に適合した機器動作が実現できない場合があった。
【０００８】
本発明は、上記問題に鑑みてなされたものであり、利用者の認知特性に適合した機器動作設定を行うことができる機器動作設定装置及び機器動作設定方法を提供することを目的とする。
【課題を解決するための手段】
【０００９】
上記目的を解決するため、本発明に係る機器動作設定装置の第１の特徴は、操作信号と制御信号とを受信し、これらの受信した信号と受信した時点の時刻情報とを関連付けたログ情報を生成するログ情報生成手段と、ログ情報生成手段により生成されたログ情報を記憶する操作ログ記憶手段と、操作ログ記憶手段に記憶されたログ情報に基づいて、操作信号を受信した時点から制御信号を受信した時点までの時間である反応時間内に受信した操作信号の数を反応時間内操作数として算出すると共に、反応時間以外の時間に受信した操作信号の数を反応時間外操作数として算出し、制御信号を受信した時点から有効な操作信号を受信した時点までの時間を有効操作時間として算出する操作情報算出手段と、操作情報算出手段により算出された反応時間内操作数が複数である場合には、反応時間を短くするよう設定する一方、反応時間内操作数が１であり、且つ、反応時間外操作数が予め定めた操作数設定値より多いか又は有効操作時間が予め定めた操作時間設定値より長いかのいずれかの場合には、反応時間を長くするよう設定する表示制御パラメータ調整手段と、表示制御パラメータ調整手段により設定された反応時間に基づいて前記機器を制御する機器制御手段とを備えたことにある。
【００１０】
上記目的を解決するため、本発明に係る機器動作設定装置の第２の特徴は、表示画面に重ね合わせて表示させる文字の文字数と、この文字を表示装置に表示させる時間である情報表示時間とを関連付けて記憶する表示文字データ記憶手段と、操作情報算出手段により算出された有効操作時間内に操作ログ記憶手段に記憶されたログ情報の数が予め定めた有効時間内設定操作数より多いと判定した場合には、有効操作時間をこの有効操作時間内に表示装置に表示させていた文字数で除した単位文字表示時間に、表示文字データ記憶手段に記憶された文字数を乗じた値を新たな情報表示時間として設定する表示時間設定手段とを更に備え、機器制御手段は、表示時間設定手段により設定された情報表示時間に基づいて機器を制御するとを備えることにある。
【発明の効果】
【００１１】
本発明に係る機器動作設定装置及び機器動作設定方法によれば、利用者の認知特性に適合した機器動作設定を行うことができる。
【発明を実施するための最良の形態】
【００１２】
以下、本発明を実施するための最良の形態について図面を参照して説明する。
【００１３】
＜第１の実施形態＞
図１は、本発明の第１の実施形態である機器動作設定装置の構成を示したブロック図である。
【００１４】
図１において、機器動作設定装置１は、利用者の操作によって操作信号を生成するリモコン２と、リモコン２からの操作信号を受信するリモコン信号受信部３と、後述する表示部５への表示を制御するなど機器動作設定装置１の中枢的な制御を行う機器制御部４と、機器制御部４からの制御信号に基づいて画像を表示する表示部５と、操作ログ測定部６と、時間をカウントするタイマー７と、操作ログ記憶部８と、操作情報算出部９と、表示制御パラメータ調整部１０とを備えている。
【００１５】
操作ログ測定部６は、リモコン信号受信部３と機器制御部４とから供給された操作信号と機器制御信号と機器状態信号と、これらの信号を受信した時点の時刻情報をタイマー７により受信し、受信した信号と受信時点の時刻情報とを関連付けてログ情報として生成し、操作ログ記憶部８へ供給する。ここで、機器制御信号とは機器制御部４で処理されたＧＵＩ画面の表示切換やＧＵＩフォーカス移動、情報表示などの制御信号であり、機器状態信号情報とは、メニュー設定画面や録画／再生など機器の状態を示す制御信号のことをいう。
【００１６】
操作ログ記憶部８は、操作ログ測定部６により生成されたログ情報を記憶する。
【００１７】
操作情報算出部９は、操作ログ記憶部８により記憶されたログ情報に基づいて、操作信号を受信した時点から制御信号を受信した時点までの時間である反応時間内に受信した操作信号の数を反応時間内操作数として算出すると共に、反応時間以外の時間に受信した操作信号の数を反応時間外操作数として算出し、制御信号を受信した時点から有効な操作信号を受信した時点までの時間を有効操作時間として算出する。
【００１８】
表示制御パラメータ調整部１０は、操作情報算出部９により算出された反応時間内操作数が１を超えた場合には、反応時間を短く設定し、又は反応時間内操作数が１であり、かつ反応時間外操作数が予め定めた操作数設定値より多い、若しくは有効操作時間が予め定めた操作時間設定値より長い場合には、反応時間を長く設定する。
【００１９】
≪機器動作設定装置の作用≫
次に、第１の実施形態である機器動作設定装置１の作用について図面を参照して説明する。
【００２０】
図２は、第１の実施形態である機器動作設定装置１の機器動作設定処理を示したフローチャートである。
【００２１】
まず、機器動作の設定が開始されると（ステップＳ１０１）、操作ログ測定部６は、リモコン信号受信部３から操作信号を受信し、機器制御部４から機器制御信号と機器状態信号とを受信する。そして、受信したこれらの信号と、これらの信号に対応する発生時点の時刻情報をタイマー７により受信し、受信した各信号と受信した時点の時刻情報とを関連付けて操作信号ログ情報と機器制御信号ログ情報と機器状態信号ログ情報とを含むログ情報として生成し、操作ログ記憶部８へ供給する。
【００２２】
操作ログ記憶部８は、操作ログ測定部６により供給されたこのログ情報を記憶する。（ステップＳ１０２）。
【００２３】
次に、操作情報算出部９は、ステップＳ１０２において操作ログ記憶部８に記憶された操作信号ログ情報と機器制御信号ログ情報と機器状態信号ログ情報とのログ数の合計が、予め設定した処理開始設定値を超えるまで操作ログ記憶部８に記憶させる（ステップＳ１０３）。
【００２４】
ここで、処理開始設定値は、高く設定しすぎると、制御パラメータの調整処理を実行できず、利用者の認知特性に適合した機器動作設定を行うことができなくなり、低すぎると十分ではない情報に基づいて制御パラメータの調整処理を行うことになり、この場合も利用者の認知特性に適合した機器動作設定を行うことができなくなる。そのため、予め提供者等が実測に基づいた値を予め算出し、提供者や利用者等が予め適正な値を設定しておく必要がある。また、機器動作設定は、例えば一定数のログ情報が操作ログ記憶手段８に記憶される度に常に更新する。
【００２５】
次に、操作信号ログ情報と機器制御信号ログ情報と機器状態信号ログ情報のログ数の合計が予め設定した処理開始設定値を超えたとき、操作情報算出部９が、操作ログ記憶部８により記憶されたログ情報に基づいて、操作信号を受信した時点から制御信号を受信した時点までの時間である反応時間内に受信した操作信号の数を反応時間内操作数として算出すると共に、反応時間以外の時間に受信した操作信号の数を反応時間外操作数として算出し、制御信号を受信した時点から有効な操作信号を受信した時点までの時間を有効操作時間として算出する。
【００２６】
そして、表示制御パラメータ調整部１０は、操作情報算出部９により算出された反応時間内操作数、反応時間外操作数、及び有効操作時間に基づいて、画面表示に関する制御パラメータ調整処理を行い、調整された制御パラメータに従って画面表示の動作処理を行う（ステップＳ１０４）。
【００２７】
具体的には、表示制御パラメータ調整部１０は、操作情報算出部９により算出された反応時間内操作数が１を超えた場合には、反応時間を短く設定し、又は反応時間内操作数が１であり、かつ反応時間外操作数が予め定めた操作数設定値より多い、若しくは有効操作時間が予め定めた操作時間設定値より長い場合には、反応時間を長く設定する。
【００２８】
そして、反応時間は、機器制御部４によって、フォーカスやボタンなどのＧＵＩ部品の移動速度、表示テキストの切換速度、ポップアップ画面の表示速度、全画面切換速度の各パラメータで個別に設定される。また、メニュー画面や録画／再生モード等機器の状態毎に個別に設定される。
【００２９】
機器動作設定装置１は、ステップＳ１０２からステップＳ１０４までの処理を、機器動作設定処理が完了するまで続ける（ステップＳ１０５）。
【００３０】
なお、図２に示した機器動作設定処理は、機器操作中は常に実施されるが、例えば、機器を購入し、最初に電源を入れると自動的に開始される初期設定ナビゲーション機能の実行時や、メニュー設定などＧＵＩ画面操作時に実施するようにしてもよい。
【００３１】
次に、本実施形態である機器動作設定装置１による機器動作設定処理について具体例を用いて説明する。
【００３２】
図３は、利用者の操作に対して機器動作設定装置１の反応速度が遅い場合における機器動作設定処理の一例を示した説明図である。図３（ａ）は、機器動作設定処理前の機器動作設定装置１の動作のタイムチャートであり、図３（ｂ）は、機器動作設定処理後の機器動作設定装置１の動作のタイムチャートである。
【００３３】
ここで、図３（ａ）に示す反応時間ａ１は、操作ログ測定部６が、操作ログ信号を受信したＴ０時点から機器動作設定装置１が反応した時点、即ち機器制御部４が表示部５に表示させるための制御信号を供給したＴ１時点までの時間である。またＴ２時点からＴ３時点、及びＴ４時点からＴ５時点も同様に反応時間ａ１である。
【００３４】
まず、操作情報算出部９は、操作ログ記憶部８に記憶された操作信号ログ情報と機器制御信号ログ情報と機器状態信号ログ情報のログ数の合計が予め設定した処理開始設定値に達したら、反応時間ａ１の間にリモコン信号受信部３により受信した操作信号の信号数をカウントし、反応時間内操作数として算出する。
【００３５】
次に、表示制御パラメータ調整部１０は、操作情報算出部９により算出された反応時間内操作数を受信する。そして表示制御パラメータ調整部１０は、受信した反応時間内操作数が１を超えたと判定した場合には、利用者にとって、操作数に対して画面動作数が少ない、即ち利用者の操作に対して機器動作が遅いと判定し、反応時間ａ１を短く設定する。
【００３６】
例えば、表示制御パラメータ調整部１０は、反応時間ａ１を反応時間ａ１の間に受信した操作信号のログ数の平均値で除した値を、若しくは、平均値と同時に分散も算出し、分散が設定値より小さい場合は平均値を、若しくは分散が大きい場合は最小値を、又は、反応時間の半分の時間のうちいずれかの値を新たな反応時間ａ２として設定する。
【００３７】
これにより、図３（ｂ）に示すように、Ｔ６時点からＴ７時点、Ｔ８時点からＴ９時点、及びＴ１０時点からＴ１１時点の間の時間が反応時間ａ２として設定される。
【００３８】
このように、反応時間ａ１より短く設定された反応時間ａ２として新たに設定されることにより、フォーカスやボタンなどのＧＵＩ部品の移動速度、表示テキストの切換速度、ポップアップ画面の表示速度、及び全画面切換速度が速くなる。
【００３９】
次に、図４は、利用者の操作に対して機器動作設定装置１の反応速度が速い場合における機器動作設定処理の一例を示した説明図である。図４（ａ）は、機器動作設定処理前の機器動作設定装置１の動作のタイムチャートであり、図４（ｂ）は、機器動作設定処理後の機器動作設定装置１の動作のタイムチャートである。
【００４０】
ここで、図３と同様に、図４（ａ）に示す反応時間ａ１は、操作ログ測定部６が、操作ログ信号を受信したＴ１２時点から機器動作設定装置１が反応した時点、即ち機器制御部４が表示部５に表示させるための制御信号を供給したＴ１３時点までの時間である。またＴ１４時点からＴ１５時点の間の時間も反応時間ａ１である。
【００４１】
まず、操作情報算出部９は、操作ログ記憶部８に記憶された操作信号ログ情報と機器制御信号ログ情報と機器状態信号ログ情報のログ数の合計が予め設定した処理開始設定値に達したら、反応時間ａ１の間にリモコン信号受信部３により受信した操作信号の信号数をカウントする。
【００４２】
次に、操作情報算出部９は、操作ログ記憶部８に記憶されたログ情報から、反応時間ａ１以外の時間に受信した操作信号数をカウントし、反応時間外操作数として算出する。図４（ａ）では、Ｔ１３時点からＴ１４時点までの間に無効な操作信号Ｐ１，Ｐ２，Ｐ３，Ｐ４を受信しているので、カウントを“４”とする。
【００４３】
次に、表示制御パラメータ調整部１０は、操作情報算出部９により算出された反応時間内操作数、反応時間外操作数を受信する。そして、表示制御パラメータ調整部１０は、受信した反応時間内操作数が１であり、かつ反応時間外操作数が予め定めた操作数設定値より多い場合、利用者は現在の機器の状態がわかっていない可能性が高いと判定し、反応時間を長く設定するとともに、画面動作にアニメーション効果を付加して状態が変化したことを強調する。
【００４４】
図５は、利用者の操作に対して機器動作設定装置１の反応速度が速い場合における機器動作設定処理の一例を示した説明図である。図５（ａ）は、機器動作設定処理前の機器動作設定装置１の動作のタイムチャートであり、図５（ｂ）は、機器動作設定処理後の機器動作設定装置１の動作のタイムチャートである。
【００４５】
ここで、図３と同様に、図５（ａ）に示す反応時間ａ１は、操作ログ測定部６が、操作ログ信号を受信したＴ２０時点から機器動作設定装置１が反応した時点、即ち機器制御部４が表示部５に表示させるための制御信号を供給したＴ２１時点までの時間である。またＴ２２時点からＴ２３時点の間の時間も反応時間ａ１である。
【００４６】
まず、操作情報算出部９は、操作ログ記憶部８に記憶された操作信号ログ情報と機器制御信号ログ情報と機器状態信号ログ情報のログ数の合計が予め設定した処理開始設定値に達したら、反応時間ａ１の間にリモコン信号受信部３により受信した操作信号の信号数をカウントする。
【００４７】
次に、操作情報算出部９は、操作ログ記憶部８に記憶されたログ情報から、機器制御部４が表示部５に表示させるための制御信号を供給した時点から有効な操作信号を受信するまでの時間である有効操作時間ｂを算出する。図５（ａ）では、Ｔ２１時点において画面が表示された後にＴ２２時点において有効な操作信号Ｐ５を受信しているので、Ｔ２１時点からＴ２２時点までの時間を有効操作時間ｂとして設定する。
【００４８】
次に、表示制御パラメータ調整部１０は、操作情報算出部９により算出された反応時間内操作数、有効操作時間ｂを受信する。そして、表示制御パラメータ調整部１０は、受信した反応時間内操作数が１であり、かつ有効操作時間ｂが予め定めた操作時間設定値より長いと判定した場合に、利用者は機器動作速度が速すぎて、その変化に気づいていない可能性が高いと判定し、反応時間を長く設定する。
【００４９】
なお、上記では、説明のために図４と図５の場合について各々説明したが、これらは同時に処理を行う。
【００５０】
表示制御パラメータ調整部１０は、例えば、反応時間ａ１に１．５を乗じた値を新たに反応時間ａ２として設定する。
【００５１】
ここで、操作数設定値は、高く設定しすぎると、利用者が画面の変化に気付いてないにもかかわらず反応時間を再設定することができず、利用者の認知特性に適合した機器動作設定を行うことができなくなる。また逆に低く設定しすぎると、利用者による単純な誤操作により反応時間を再設定してしまい、この場合も利用者の認知特性に適合した機器動作設定を行うことができなくなる。
【００５２】
また、操作時間設定値は、長く設定しすぎると、利用者が画面の変化に気付いてないにもかかわらず反応時間を再設定することができず、利用者の認知特性に適合した機器動作設定を行うことができなくなる。また逆に短く設定しすぎると、画面に表示された情報を認知する前に再設定が行われてしまい、この場合も利用者の認知特性に適合した機器動作設定を行うことができなくなる。そのため、これら操作数設定値及び操作時間設定値は、予め提供者等が実測に基づいた適正な値を予め算出し、提供者や利用者等が予め適正な値を設定しておく必要がある。
【００５３】
これにより、図４（ｂ）に示すように、Ｔ１６時点からＴ１７時点、及びＴ１８時点からＴ１９時点の間の時間が反応時間ａ２として設定される。また、図５（ｂ）に示すように、Ｔ２４時点からＴ２５時点、及びＴ２６時点からＴ２７時点の間の時間が反応時間ａ２として設定される。
【００５４】
このように、反応時間ａ１が、反応時間ａ１より長く設定された反応時間ａ２として設定されることにより、フォーカスやボタンなどのＧＵＩ部品の移動速度、表示テキストの切換速度、ポップアップ画面の表示速度、及び全画面切換速度が遅くなる。
【００５５】
これにより、反応時間がａ１として設定されている際には画面変化に気付いていなかった利用者も、反応時間がａ２となることによって、画面変化に気付くようになる。
【００５６】
なお、説明上、図３、図４及び図５において、反応時間が速い／遅い場合を分けて説明したが、機器動作設定装置１は、ログ情報に基づいていずれの処理を実行するかを決定する。例えば、ログ情報に複数回含まれる各測定値から反応時間が速いか遅いかを判定およびカウントして、多いほうを選択する。このとき、全ての画面で共通の調整でもよいし、画面（状態）毎にそれぞれ調整してもよい。また、上記判定には、全てのログ情報を用いても良いし、最新から一定数のログ情報を用いても良い。
【００５７】
以上のように、第１の実施形態である機器動作設定装置１によれば、利用者の操作の特性を測定し、測定した結果に基づいて、画面表示動作や操作信号に対する機器の反応速度を設定することで、個々の利用者の認知特性に適合した使いやすい機器に設定できる。特に、画面表示動作が速すぎて、その変化に気づかない利用者に対して、適切な速度で画面表示が動作する機器を実現できる。さらに、第１の実施形態である機器動作設定装置１によれば、利用者に設定作業を意識させることなく、利用者の認知特性に適合して機器動作設定を行うことができる。
【００５８】
＜第２の実施形態＞
図６は、本発明の第２の実施形態である機器動作設定装置の構成を示したブロック図である。
【００５９】
図６に示すように、第２の実施形態である機器動作設定装置１ａは、第１の実施形態である機器動作設定装置１の構成に加えて、表示画面に重ね合わせて表示させる文字の文字数と、この文字を表示部５に表示させる時間である情報表示時間とを関連付けて記憶する表示文字データ記憶部１２と、操作情報算出手段９により算出された有効操作時間内に操作ログ記憶手段８に記憶されたログ情報の数が予め定めた有効時間内設定操作数より多いと判定した場合には、有効操作時間をこの有効操作時間内に前記表示装置に表示させていた文字数で除した単位文字表示時間に、表示文字データ記憶手段１２に記憶された文字数を乗じた値を新たな情報表示時間として設定する表示時間設定手段１１とを備える。
【００６０】
第２の実施形態である機器動作設定装置１ａの表示時間設定部１１は、操作情報算出手段９により算出された有効操作時間内に操作ログ記憶手段８に記憶されたログ情報が予め定めた有効時間内設定操作数より多いと判定した場合には、それ以降の画面表示について、以下の情報表示時間の設定処理を実行する。
【００６１】
まず、表示時間設定部１１は、有効操作時間をこの有効操作時間内に表示させていた文字数で除した単位文字表示時間を算出する。さらに、表示時間設定部１１は、機器制御部４が他の表示画面を表示部５へ表示させる場合に、この表示させる表示画面に重ね合わせて表示させる文字の文字数を表示文字データ記憶部１２から読み出し、この単位文字表示時間に読み出した文字数を乗じた値を新たな情報表示時間として設定する。そして、設定した新たな情報表示時間を表示文字データ記憶部１２に記憶させる。
【００６２】
図７は、情報表示時間を設定する表示画面の一例を示した説明図である。
【００６３】
図７に示した例では、利用者であるＵＳＥＲ１は、表示画面の表示文字を確認した後、リモコン２の決定ボタンを押すと予想できる。このとき、操作ログ測定部６は、図６に示す表示画面が表示されてからＵＳＥＲ１がリモコン２の決定ボタンを押すまでの時間である有効操作時間を測定する。
【００６４】
そして、この有効操作時間内に表示されている文字が「初期ナビゲーションを開始します。」で、文字数が１６文字であるので、表示時間設定部１１は、有効操作時間を文字数“１６”で除した単位文字表示時間を算出する。
【００６５】
そして、表示時間設定部１１は、表示させる表示画面に重ね合わせて表示させる文字の文字数を表示文字データ記憶部１２から読み出し、算出した単位文字表示時間に読み出した文字数を乗じた値を情報表示時間として設定する。
【００６６】
そして、機器制御部４は、表示時間設定部１１により設定された情報表示時間に基づいて表示部５に表示画面を表示させる。例えば、機器制御部４は、設定された情報表示時間の間のみ表示部５に表示画面を表示させたり、画面が表示されてから設定された情報表示時間の間のみ、画面上の移動の軌跡や点滅などのアニメーション効果を付加して表示部５に表示させる。
【００６７】
これにより、利用者が画面に表示された文字を読むことができると予想される情報表示時間の間だけ画面が表示されたり画面上の動作が遷移したりするので、より利用者は画面の変化に気付きやすくなる。
【００６８】
このように、第２の実施形態である機器動作設定装置１ａによれば、個々の利用者の認知特性に適合した情報表示時間に基づいて表示部５に表示画面を表示させるので、個々の利用者の認知特性に適合した使いやすい機器に設定できる。
【００６９】
さらに、第２の実施形態である機器動作設定装置１ａによれば、利用者に設定作業を意識させることなく、利用者の認知特性に適合して機器動作設定を行うことができる。
【図面の簡単な説明】
【００７０】
【図１】本発明の第１の実施形態である機器動作設定装置の構成を示したブロック図である。
【図２】第１の実施形態である機器動作設定装置の機器動作設定処理を示したフローチャートである。
【図３】図３（ａ）は、機器動作設定処理前の機器動作設定装置の動作のタイムチャートであり、図３（ｂ）は、機器動作設定処理後の機器動作設定装置の動作のタイムチャートである。
【図４】図４（ａ）は、機器動作設定処理前の機器動作設定装置の動作のタイムチャートであり、図４（ｂ）は、機器動作設定処理後の機器動作設定装置の動作のタイムチャートである。
【図５】図５（ａ）は、機器動作設定処理前の機器動作設定装置の動作のタイムチャートであり、図５（ｂ）は、機器動作設定処理後の機器動作設定装置の動作のタイムチャートである。
【図６】本発明の第２の実施形態である機器動作設定装置の構成を示したブロック図である。
【図７】情報表示時間を設定する表示画面の一例を示した説明図である。
【符号の説明】
【００７１】
１，１ａ…機器動作設定装置
２…リモコン
３…リモコン信号受信部
４…機器制御部
５…表示部
６…操作ログ測定部（ログ情報生成手段）
７…タイマー
８…操作ログ記憶部（操作ログ記憶手段）
９…操作情報算出部（操作情報算出手段）
１０…表示制御パラメータ調整部（表示制御パラメータ調整手段）
１１…表示時間設定部（表示時間設定手段）
１２…表示文字データ記憶部（表示文字データ記憶手段）
【図１】
2008236666.tif 000003
【図２】
2008236666.tif 000004
【図３】
2008236666.tif 000005
【図４】
2008236666.tif 000006
【図５】
2008236666.tif 000007
【図６】
2008236666.tif 000008
【図７】
2008236666.tif 000009